(57)【特許請求の範囲】
【請求項１】
画像形成装置であって、
熱源を有する定着装置と、
前記熱源に直列に接続され、所定の条件で前記熱源への電源供給を遮断する電源遮断回路と、
動作モードでは内部電源電圧として第１電圧を出力すると共に、省電力モードでは前記内部電源電圧として前記第１電圧よりも低い第２電圧を出力する低圧電源部とを具備し、
前記電源遮断回路として、前記第１電圧で動作する第１リレーと、前記第２電圧で動作する第２リレーとからなる並列回路が前記熱源に直列に接続されていることを特徴とする画像形成装置。
【請求項２】
前記省電力モードには、第１省電力モードと第２省電力モードと第３省電力モードとがあり、
前記省電力モードにおける消費電力を制御する省エネ制御部を具備し、
前記第１省電力モードにおいて、前記省エネ制御部は、前記第２リレーを接続して前記熱源に電源を供給して、前記定着装置を第１定着温度に制御し、
前記第２省電力モードにおいて、前記省エネ制御部は、前記第２リレーを接続して前記熱源に電源を供給して、前記定着装置を前記第１定着温度よりも低い第２定着電圧に制御し、
前記第３省電力モードにおいて、前記省エネ制御部は、前記第２リレーを切断して前記熱源への電源供給を遮断することを特徴とする請求項１記載の画像形成装置。
【請求項３】
画像形成装置であって、
熱源を有する定着装置と、
動作モードでは内部電源電圧として第１電圧を出力すると共に、省電力モードでは前記内部電源電圧として前記第１電圧よりも低い第２電圧を出力する低圧電源部と、
前記内部電源電圧を前記第２電圧よりも低い第３電圧に降圧する降圧回路と、
所定の条件で前記熱源への電源供給を遮断する電源遮断回路として、前記熱源に直列に接続され、前記第３電圧で動作するリレーとを具備することを特徴とする画像形成装置。
【請求項４】
前記省電力モードには、第１省電力モードと第２省電力モードと第３省電力モードとがあり、
前記省電力モードにおける消費電力を制御する省エネ制御部を具備し、
前記第１省電力モードにおいて、前記省エネ制御部は、前記リレーを接続して前記熱源に電源を供給して、前記定着装置を第１定着温度に制御し、
前記第２省電力モードにおいて、前記省エネ制御部は、前記リレーを接続して前記熱源に電源を供給して、前記定着装置を前記第１定着温度よりも低い第２定着電圧に制御し、
前記第３省電力モードにおいて、前記省エネ制御部は、前記リレーを切断して前記熱源への電源供給を遮断することを特徴とする請求項３記載の画像形成装置。
【発明の詳細な説明】
【技術分野】
【０００１】
本発明は、トナー像を記録紙に熱定着させる定着装置を有するＭＦＰ等の画像形成装置に関する。
【背景技術】
【０００２】
一般的に、定着装置の熱ローラーを加熱するヒーターには、交流電源とトライアックとが直列に接続され、交流電源のゼロクロスタイミングに基づくトライアックのオンオフ制御で定着温度制御が行われている。また、トライアック破損に対する保護や、熱ローラーの加熱が不必要なスリープモードにおいて、ゼロクロスタイミングを検出するゼロクロス検知回路をカットし、電力ロスを減らすことを目的として、ヒーターに直列でリレーが装着されている（例えば、特許文献１参照）
【０００３】
熱ローラーの加熱が不必要なスリープモードは、ネットワークやＵＳＢ、ＦＡＸの入出力のみ可能な状態であり、低圧電源部にスリープ信号を入れることで内部電源電圧を減電圧（例えば、２４Ｖから１２Ｖへ）している。内部電源電圧を減電圧することで、内部電源電圧を入力電圧し、エンジン基板やコントローラーＡＳＩＣの動作電圧（例えば、３．３Ｖ、５Ｖ）を生成するＤＣＤＣコンバーター等のシステム用電源回路の電源効率が上がり、消費電力が削減される省電力状態になる。
【先行技術文献】
【特許文献】
【０００４】
【特許文献１】特開２０１０−１９９２６号公報
【発明の概要】
【発明が解決しようとする課題】
【０００５】
しかしながら、従来技術では、熱ローラーを加熱する熱源であるヒーターに直列で装着されるリレーには、通常の内部電源電圧で動作するリレーが用いられているため、内部電源電圧を減電圧すると動作しなくなってしまう。従って、熱源制御が必要な場合には、モーター駆動等を行う通常の内部電源電圧を必要としないモードであっても、内部電源電圧を減電圧して省電力状態に移行することができないという問題点があった。
【０００６】
本発明の目的は、上記問題点に鑑み、従来技術の問題を解決し、熱源制御が必要であっても、通常の内部電源電圧を必要としないモードでは、内部電源電圧を減電圧して省電力状態に移行することができる画像形成装置を提供することにある。
【課題を解決するための手段】
【０００７】
本発明の画像形成装置は、画像形成装置であって、熱源を有する定着装置と、前記熱源に直列に接続され、所定の条件で前記熱源への電源供給を遮断する電源遮断回路と、動作モードでは内部電源電圧として第１電圧を出力すると共に、省電力モードでは前記内部電源電圧として前記第１電圧よりも低い第２電圧を出力する低圧電源部とを具備し、前記電源遮断回路として、前記第１電圧で動作する第１リレーと、前記第２電圧で動作する第２リレーとからなる並列回路が前記熱源に直列に接続されていることを特徴とする。
さらに、本発明の画像形成装置において、前記省電力モードには、第１省電力モードと第２省電力モードと第３省電力モードとがあり、前記省電力モードにおける消費電力を制御する省エネ制御部を具備し、前記第１省電力モードにおいて、前記省エネ制御部は、前記第２リレーを接続して前記熱源に電源を供給して、前記定着装置を第１定着温度に制御し、前記第２省電力モードにおいて、前記省エネ制御部は、前記第２リレーを接続して前記熱源に電源を供給して、前記定着装置を前記第１定着温度よりも低い第２定着電圧に制御し、前記第３省電力モードにおいて、前記省エネ制御部は、前記第２リレーを切断して前記熱源への電源供給を遮断しても良い。
また、本発明の画像形成装置は、画像形成装置であって、熱源を有する定着装置と、動作モードでは内部電源電圧として第１電圧を出力すると共に、省電力モードでは前記内部電源電圧として前記第１電圧よりも低い第２電圧を出力する低圧電源部と、前記内部電源電圧を前記第２電圧よりも低い第３電圧に降圧する降圧回路と、所定の条件で前記熱源への電源供給を遮断する電源遮断回路として、前記熱源に直列に接続され、前記第３電圧で動作するリレーとを具備することを特徴とする。
さらに、本発明の画像形成装置において、前記省電力モードには、第１省電力モードと第２省電力モードと第３省電力モードとがあり、前記省電力モードにおける消費電力を制御する省エネ制御部を具備し、前記第１省電力モードにおいて、前記省エネ制御部は、前記リレーを接続して前記熱源に電源を供給して、前記定着装置を第１定着温度に制御し、前記第２省電力モードにおいて、前記省エネ制御部は、前記リレーを接続して前記熱源に電源を供給して、前記定着装置を前記第１定着温度よりも低い第２定着電圧に制御し、前記第３省電力モードにおいて、前記省エネ制御部は、前記リレーを切断して前記熱源への電源供給を遮断しても良い。
【発明の効果】
【０００８】
本発明によれば、内部電源電圧を第１電圧よりも低い第２電圧に減電圧しても、熱源に電源を供給することができるため、熱源制御が必要であっても、通常の内部電源電圧を必要としないモードでは、内部電源電圧を減電圧して省電力状態に移行することができるという効果を奏する。
【図面の簡単な説明】
【０００９】
【図１】本発明に係る画像形成装置の第１の実施の形態の内部構成を示す断面模式図である。
【図２】本発明に係る画像形成装置の第１の実施の形態の構成を示す概略ブロック図である。
【図３】図２に示す制御部により定着部の温度制御を行うための構成を示す概略ブロック図である。
【図４】本発明に係る画像形成装置の第２の実施の形態において制御部により定着部の温度制御を行うための構成を示す概略ブロック図である。
【発明を実施するための形態】
【００１０】
次に、本発明の実施の形態を、図面を参照して具体的に説明する。
【００１１】
（第１の実施の形態）
第１の実施の形態の画像形成装置１は、図１を参照すると、原稿読取部２と、原稿給送部３と、本体部４と、操作部５とを備えている。原稿読取部２は、本体部４の上部に配設され、原稿給送部３は、原稿読取部２の上部に配設されている。スタートキーやテンキーやＬＣＤ等からなる操作部５は、本体部４の手前側に配設されている。
【００１２】
原稿読取部２は、スキャナー２１と、プラテンガラス２２と、原稿読取スリット２３とを備える。スキャナー２１は、露光ランプ２４及びＣＣＤ(Charge Coupled Device)センサー２５等から構成され、原稿給送部３による原稿ＭＳの搬送方向に移動可能に構成されている。プラテンガラス２２は、ガラス等の透明部材により構成された原稿台である。原稿読取スリット２３は、原稿給送部３による原稿ＭＳの搬送方向と直交方向に形成されたスリットを有する。
【００１３】
プラテンガラス２２に載置された原稿ＭＳを読み取る場合には、スキャナー２１は、プラテンガラス２２に対向する位置に移動され、プラテンガラス２２に載置された原稿ＭＳを走査しながら原稿ＭＳを読み取って画像データを取得し、取得した画像データを本体部４に出力する。また、原稿給送部３により搬送された原稿ＭＳを読み取る場合には、スキャナー２１は、原稿読取スリット２３と対向する位置に移動され、原稿読取スリット２３を介し、原稿給送部３による原稿ＭＳの搬送動作と同期して原稿ＭＳを読み取って画像データを取得し、取得した画像データを本体部４に出力する。
【００１４】
原稿給送部３は、原稿載置部３１と、原稿排出部３２と、原稿搬送機構３３とを備えている。原稿載置部３１に載置された原稿ＭＳは、原稿搬送機構３３によって、１枚ずつ順に繰り出されて原稿読取スリット２３に対向する位置へ搬送され、その後、原稿排出部３２に出力される。なお、原稿給送部３は、可倒式に構成され、原稿給送部３を上方に持ち上げることで、プラテンガラス２２の上面を開放させることができる。
【００１５】
本体部４は、記録部６を備えると共に、給紙部４１と、給紙ローラー４２と、搬送ローラー４３と、排出ローラー４４と、排出空間４５とを備えている。給紙部４１は、複数枚の記録紙Ｐが収納される給紙カセットであり、本体部４の下部に配置されている。給紙ローラー４２は、給紙部４１から記録紙Ｐを１枚ずつ搬送ローラー４３に向けて繰り出す。搬送ローラー４３は、給紙部４１からの記録紙Ｐを記録部６に搬送する。記録部６によって印刷が施された記録紙Ｐは、排出ローラー４４によって、原稿読取部２と本体部４との間に形成された排出空間４５に排出される。このように、給紙ローラー４２、搬送ローラー４３及び排出ローラー４４は、記録紙Ｐの搬送部として機能する。
【００１６】
記録部６は、像担持体である感光体ドラム６１と、帯電部６２と、露光部６３と、現像部６４と、転写部６５と、定着装置６６と、クリーニング部６７とを備えている。露光部６３は、レーザー装置やミラー等を備えた光学ユニットである。帯電部６２は、感光体ドラム６１を一様に帯電させる帯電ローラーである。露光部６３は、帯電部６２に一様に帯電された感光体ドラム６１に対し、画像データに基づくレーザー光を出力して露光し、感光体ドラム６１の表面に静電潜像を形成する。現像部６４は、トナーとキャリアとからなる２成分現像剤を用いて感光体ドラム６１に形成された静電潜像を現像する現像ユニットであり、静電潜像に基づいたトナー像を感光体ドラム６１上に形成させる。転写部６５は、現像部６４によって感光体ドラム６１上に形成されたトナー像を記録紙Ｐに転写させる。定着装置６６は、転写部６５によってトナー像が転写された記録紙Ｐを加熱してトナー像を記録紙Ｐに定着させる。そして感光体ドラム６１上に残存するトナーは、クリーニング部６７によって除去される。
【００１７】
定着装置６６は、記録紙上に形成されたトナー像を溶融するための熱ローラー６６ａと、熱ローラー６６ａとの間を通過する記録紙を熱ローラー６６ａに圧接する圧ローラー６６ｂとを備えている。また、熱ローラー６６ａの内部には、熱ローラー６６ａを加熱するヒーター８０が熱源として設けられ、制御部７からの制御信号に応じてヒーター８０に供給される電力がオンオフされる。
【００１８】
図２には、画像形成装置１の構成を示すブロック図が示されている。上述の原稿読取部２、原稿給送部３、搬送部（給紙ローラー４２、搬送ローラー４３、排出ローラー４４）、操作部５及び記録部６（感光体ドラム６１、帯電部６２、露光部６３、現像部６４、転写部６５、定着装置６６）は、制御部７に接続され、制御部７によって動作制御される。また、制御部７には、画像処理部８と、記憶部９と、通信部１０と、ファクス部１１と、低圧電源部１２とが接続されている。そして、制御部７は、高圧電源部やモーターに電源を供給する必要がない待ち受け時等の省電力モードでは、省エネ制御部７１として機能する。省電力モードには、レディモードと、低電力モードと、スリープモードとがあり、省エネ制御部７１は、各部に供給する電源を制御することで、レディモード＞低電力モード＞スリープモードの順に消費電力を低減させる。
【００１９】
画像処理部８は、画像データに対して所定の画像処理を行う手段であり、例えば、回転処理、拡大縮小処理や、階調調整、濃度調整等の画像改善処理が行われる。
【００２０】
記憶部９は、半導体メモリーやＨＤＤ（Hard Disk Drive）等の記憶手段であり、原稿読取部２によって読み取ったり、画像処理部８によって画像処理を行ったりした画像データが記憶されると共に、各種の管理情報が記憶されている。
【００２１】
通信部１０は、ＬＡＮ等のネットワークを介して、パーソナルコンピュータ等の周辺機器や、他の画造形成装置との間で各種データを送受信する機能を有する。また、通信部１０は、ネットワーク及びルーターを介してインターネットに接続可能に構成されている。そして通信部１０は、インターネットに接続されている各種通信機器との間で各種データを送受信する機能を有する。
【００２２】
ファクス部１１は、モデムを有し、原稿読取部２によって読み取られ、ファイル化された画像ファイルからファクシミリ信号を生成し、生成したファクシミリ信号を電話回線網等のネットワークを介して送信するファクシミリ送信機能と、電話回線網を介してファクシミリ信号を受信し、受信したファクシミリ信号から画像ファイルを生成するファクシミリ受信機能とを備えている。なお、ファクシミリ受信機能により受信生成された画像ファイルは、記憶部９に記憶されたり、記録部６によって記録紙Ｐに記録されたりする。
【００２３】
低圧電源部１２は、交流電源から内部電源電圧Ｖｃｃを生成する公知のスイッチングレギュレーター等の電源回路である。高圧電源部やモーターに電源を供給する必要があるコピー動作等の動作モード時において、低圧電源部１２は、内部電源電圧Ｖｃｃとして２４Ｖを出力する。そして、高圧電源部やモーターに電源を供給する必要がない待ち受け時等の省電力モード（レディモード、低電力モード、スリープモード）において、低圧電源部１２は、省エネ制御部７１からの指示に基づいて、内部電源電圧Ｖｃｃとして１２Ｖを出力する。内部電源電圧Ｖｃｃを１２Ｖに減電圧することで、内部電源電圧Ｖｃｃを入力電圧し、エンジン基板やコントローラーＡＳＩＣの動作電圧（例えば、３．３Ｖ、５Ｖ）を生成するＤＣＤＣコンバーター等のシステム用電源回路１３の電源効率が上がり、消費電力が削減される省電力状態になる。
【００２４】
図３を参照すると、定着装置６６は、交流電源が接続されるＡＣ入力端子ＡＣＬ(ＬＩＶＥ）、ＡＣＮ(ＮＥＵＴＲＡＬ）を備え、ＡＣ入力端子ＡＣＬ、ＡＣＮ間にヒーター８０とトライアック８１とが直列に接続されている。そして、トライアック８１のゲートがフォトトライアックカプラ８１ａを介して制御部７に接続されている。これにより、トライアック８１と制御部７との間が絶縁される。また、交流電圧が０Ｖと交差するゼロクロスタイミングを検出するゼロクロス検出回路８２がＡＣ入力端子ＡＣＬ、ＡＣＮ間に接続され、ゼロクロス検出回路８２で検出されたゼロクロスタイミングを示すゼロクロス信号が制御部７に出力される。
【００２５】
また、熱ローラー６６ａの温度を検出し、その温度に応じた電圧を出力する例えば熱電対等からなる温度センサー８３が熱ローラー６６ａの近傍に配置されている。温度センサー８３からの出力電圧は、Ａ／Ｄコンバーター（ＡＤＣ）８４を介して制御部７に出力される。これにより、制御部７は、ゼロクロス検出回路８２から入力されるゼロクロス信号と、温度センサー８３から入力される熱ローラー６６ａの現在温度とに基づいて、トライアック８１をオンオフさせ、ヒーター８０への電力供給をオンオフ制御する。
【００２６】
ＡＣ入力端子ＡＣＬとヒーター８０との間には、トライアック８１の破損等の所定の条件でヒーター８０への電源供給を遮断する電源遮断回路として、２４Ｖ用リレー８５と、１２Ｖ用リレー８６とが並列に接続されている。なお、２４Ｖ用リレー８５及び１２Ｖ用リレー８６にそれぞれ並列に接続されたダイオードＤ１、Ｄ２は、オフ時に生じるサージを電源側に戻すフライホイールダイオードである。２４Ｖ用リレー８５及び１２Ｖ用リレー８６は、トライアック８１の破損に対する保護と、スリープモード時にゼロクロス検出回路８２をカットし、電力ロスを減らすこととを目的として設けられている。
【００２７】
２４Ｖ用リレー８５と１２Ｖ用リレー８６とは、リレー制御回路８７から出力される２４Ｖ用リレー制御信号ＲＥＭ（２４Ｖ）と１２Ｖ用リレー制御信号ＲＥＭ（１２Ｖ）とによってそれぞれ動作制御される。
【００２８】
リレー制御回路８７からの２４Ｖ用リレー制御信号ＲＥＭ（２４Ｖ）は抵抗Ｒ１を介してトランジスタＱ１のベースに入力される。トランジスタＱ１のコレクタは２４Ｖ用リレー８５を介して内部電源電圧Ｖｃｃに接続され、トランジスタＱ１のエミッタは接地されている。また、トランジスタＱ１のベース―エミッタ間にはリーク電流等を吸収する抵抗Ｒ２が接続されている。２４Ｖ用リレー制御信号ＲＥＭ（２４Ｖ）がＨｉｇｈとなり、トランジスタＱ１がＯＮすれば、２４Ｖ用リレー８５に電流が流れ込み、２４Ｖ用リレー８５が動作する。
【００２９】
また、リレー制御回路８７からの１２Ｖ用リレー制御信号ＲＥＭ（１２Ｖ）は抵抗Ｒ３を介してトランジスタＱ２のベースに入力される。トランジスタＱ２のコレクタは１２Ｖ用リレー８６を介して内部電源電圧Ｖｃｃに接続され、トランジスタＱ２のエミッタは接地されている。また、トランジスタＱ１のベース―エミッタ間にはリーク電流等を吸収する抵抗Ｒ４が接続されている。１２Ｖ用リレー制御信号ＲＥＭ（１２Ｖ）がＨｉｇｈとなり、トランジスタＱ２がＯＮすれば、１２Ｖ用リレー８６に電流が流れ込み、１２Ｖ用リレー８６が動作する。
【００３０】
コピー時等の動作モードにおいて、低圧電源部１２は、内部電源電圧Ｖｃｃとして２４Ｖを出力する。また、制御部７は、リレー制御回路８７から出力される２４Ｖ用リレー制御信号ＲＥＭ（２４Ｖ）をＨｉｇｈに、１２Ｖ用リレー制御信号ＲＥＭ（１２Ｖ）をＬｏｗにそれぞれ制御する。これにより、トランジスタＱ１がＯＮして、２４Ｖ用リレー８５に電流が流れ込み、２４Ｖ用リレー８５が動作する。２４Ｖ用リレー８５の動作によってヒーター８０は加熱され、熱ローラー６６ａは制御部７によって予め設定された第１定着温度に制御される。なお、制御部７は、トライアック８１の破損を検出すると、リレー制御回路８７から出力される２４Ｖ用リレー制御信号ＲＥＭ（２４Ｖ）をＬｏｗに制御する。これにより、トランジスタＱ１がＯＦＦして、２４Ｖ用リレー８５が切断される。
【００３１】
レディモードにおいて、制御部７は、省エネ制御部７１として機能し、低圧電源部１２は、内部電源電圧Ｖｃｃとして１２Ｖを出力する。また、省エネ制御部７１は、リレー制御回路８７から出力される２４Ｖ用リレー制御信号ＲＥＭ（２４Ｖ）をＬｏｗに、１２Ｖ用リレー制御信号ＲＥＭ（１２Ｖ）をＨｉｇｈにそれぞれ制御する。これにより、トランジスタＱ２がＯＮして、１２Ｖ用リレー８６に電流が流れ込み、１２Ｖ用リレー８６が動作する。１２Ｖ用リレー８６の動作によってヒーター８０は加熱され、熱ローラー６６ａは省エネ制御部７１によって第１定着温度に制御される。なお、制御部７は、トライアック８１の破損を検出すると、リレー制御回路８７から出力される１２Ｖ用リレー制御信号ＲＥＭ（１２Ｖ）をＬｏｗに制御する。これにより、トランジスタＱ２がＯＦＦして、１２Ｖ用リレー８６が切断される。
【００３２】
低電力モードでは、制御部７は、省エネ制御部７１として機能し、低圧電源部１２は、内部電源電圧Ｖｃｃとして１２Ｖを出力する。また、省エネ制御部７１は、リレー制御回路８７から出力される２４Ｖ用リレー制御信号ＲＥＭ（２４Ｖ）をＬｏｗに、１２Ｖ用リレー制御信号ＲＥＭ（１２Ｖ）をＨｉｇｈにそれぞれ制御する。これにより、トランジスタＱ２がＯＮして、１２Ｖ用リレー８６に電流が流れ込み、１２Ｖ用リレー８６が動作する。１２Ｖ用リレー８６の動作によってヒーター８０は加熱され、熱ローラー６６ａは省エネ制御部７１によって第１定着温度よりも低い予め設定された第２定着温度に制御される。なお、制御部７は、トライアック８１の破損を検出すると、リレー制御回路８７から出力される１２Ｖ用リレー制御信号ＲＥＭ（１２Ｖ）をＬｏｗに制御する。これにより、トランジスタＱ２がＯＦＦして、１２Ｖ用リレー８６が切断される。
【００３３】
スリープモードでは、制御部７は、省エネ制御部７１として機能し、低圧電源部１２は内部電源電圧Ｖｃｃとして１２Ｖを出力する。また、省エネ制御部７１は、リレー制御回路８７から出力される２４Ｖ用リレー制御信号ＲＥＭ（２４Ｖ）をＬｏｗに、１２Ｖ用リレー制御信号ＲＥＭ（１２Ｖ）をＬｏｗにそれぞれ制御する。これにより、トランジスタＱ１、Ｑ２のいずれもがＯＦＦして、２４Ｖ用リレー８５及び１２Ｖ用リレー８６が切断され、ヒーター８０に通電されない状態となる。
【００３４】
以上説明したように第１の実施の形態は、画像形成装置１であって、熱源であるヒーター８０を有する定着装置６６と、ヒーター８０に直列に接続され、所定の条件でヒーター８０への電源供給を遮断する電源遮断回路と、動作モードでは内部電源電圧Ｖｃｃとして第１電圧（２４Ｖ）を出力すると共に、省電力モードでは内部電源電圧Ｖｃｃとして第１電圧（２４Ｖ）よりも低い第２電圧（１２Ｖ）を出力する低圧電源部１２とを具備し、電源遮断回路として、第１電圧（２４Ｖ）で動作する２４Ｖ用リレー８５（第１リレー）と、前記第２電圧で動作する１２Ｖ用リレー８６（第２リレー）とからなる並列回路がヒーター８０に直列に接続されている。
この構成により、減電圧した内部電源電圧（１２Ｖ）によって１２Ｖ用リレー８６を動作させることで、ヒーター８０に電源を供給することができるため、ヒーター制御が必要であっても、通常の内部電源電圧を必要としないモードでは、内部電源電圧を減電圧して省電力状態に移行することができる。
【００３５】
さらに、第１の実施の形態において、省電力モードには、レディモード（第１省電力モード）と低電力モード（第２省電力モード）とスリープモード（第３省電力モード）とがあり、省電力モードにおける消費電力を制御する省エネ制御部７１を具備し、レディモードにおいて、省エネ制御部７１は、１２Ｖ用リレー８６を接続してヒーター８０に電源を供給して、定着装置６６を第１定着温度に制御し、低電力モードにおいて、省エネ制御部７１は、１２Ｖ用リレー８６を接続してヒーター８０に電源を供給して、定着装置６６を第１定着温度よりも低い第２定着電圧に制御し、スリープモードにおいて、省エネ制御部７１は、１２Ｖ用リレー８６を切断してヒーター８０への電源供給を遮断する。
この構成により、レディモードと、低電力モードと、スリープモードの順に効率よく消費電力を低減させることができる。
【００３６】
（第２の実施の形態）
第２の実施の形態では、図４を参照すると、ＡＣ入力端子ＡＣＬとヒーター８０との間に１０Ｖ用リレー８８が接続されている。１０Ｖ用リレー８８は、リレー制御回路８７ａから出力される１０Ｖ用リレー制御信号ＲＥＭ（１０Ｖ）によって動作制御される。
【００３７】
リレー制御回路８７ａからの１０Ｖ用リレー制御信号ＲＥＭ（１０Ｖ）は抵抗Ｒ５を介してトランジスタＱ３のベースに入力される。トランジスタＱ３のコレクタは１０Ｖ用リレー８８と低ドロップアウトレギュレータ（ＬＤＯ）８９とを介して内部電源電圧Ｖｃｃに接続され、トランジスタＱ３のエミッタは接地されている。また、トランジスタＱ３のベース―エミッタ間にはリーク電流等を吸収する抵抗Ｒ６が接続されている。低ドロップアウトレギュレータ（ＬＤＯ）８９は、２４Ｖもくしは１２Ｖとなる内部電源電圧Ｖｃｃを１０Ｖに降圧する降圧回路である。従って、内部電源電圧Ｖｃｃが２４Ｖと１２Ｖとのいずれであっても、１０Ｖ用リレー制御信号ＲＥＭ（１０Ｖ）がＨｉｇｈとなり、トランジスタＱ３がＯＮすれば、１０Ｖ用リレー８８に電流が流れ込み、１０Ｖ用リレー８８が動作する。
【００３８】
コピー時等の動作モードにおいて、低圧電源部１２は、内部電源電圧Ｖｃｃとして２４Ｖを出力する。また、制御部７は、リレー制御回路ａから出力される１０Ｖ用リレー制御信号ＲＥＭ（１０Ｖ）をＨｉｇｈに制御する。これにより、トランジスタＱ３がＯＮして、１０Ｖ用リレー８８に電流が流れ込み、１０Ｖ用リレー８８が動作する。１０Ｖ用リレー８８の動作によってヒーター８０は加熱され、熱ローラー６６ａは制御部７によって予め設定された第１定着温度に制御される。なお、制御部７は、トライアック８１の破損を検出すると、リレー制御回路８７ａから出力される１０Ｖ用リレー制御信号ＲＥＭ（１０Ｖ）をＬｏｗに制御する。これにより、トランジスタＱ３がＯＦＦして、１０Ｖ用リレー８８が切断される。
【００３９】
レディモードにおいて、制御部７は、省エネ制御部７１として機能し、低圧電源部１２は、内部電源電圧Ｖｃｃとして１２Ｖを出力する。また、省エネ制御部７１は、リレー制御回路８７ａから出力される１０Ｖ用リレー制御信号ＲＥＭ（１０Ｖ）をＨｉｇｈに制御する。これにより、トランジスタＱ３がＯＮして、１０Ｖ用リレー８８に電流が流れ込み、１０Ｖ用リレー８８が動作する。１０Ｖ用リレー８８の動作によってヒーター８０は加熱され、熱ローラー６６ａは省エネ制御部７１によって第１定着温度に制御される。なお、制御部７は、トライアック８１の破損を検出すると、リレー制御回路８７ａから出力される１０Ｖ用リレー制御信号ＲＥＭ（１０Ｖ）をＬｏｗに制御する。これにより、トランジスタＱ３がＯＦＦして、１０Ｖ用リレー８８が切断される。
【００４０】
低電力モードでは、制御部７は、省エネ制御部７１として機能し、低圧電源部１２は、内部電源電圧Ｖｃｃとして１２Ｖを出力する。また、省エネ制御部７１は、リレー制御回路８７ａから出力される１０Ｖ用リレー制御信号ＲＥＭ（１０Ｖ）をＨｉｇｈにそれぞれ制御する。これにより、トランジスタＱ３がＯＮして、１０Ｖ用リレー８８に電流が流れ込み、１０Ｖ用リレー８８が動作する。１０Ｖ用リレー８８の動作によってヒーター８０は加熱され、熱ローラー６６ａは省エネ制御部７１によって第１定着温度よりも低い予め設定された第２定着温度に制御される。なお、制御部７は、トライアック８１の破損を検出すると、リレー制御回路８７ａから出力される１０Ｖ用リレー制御信号ＲＥＭ（１０Ｖ）をＬｏｗに制御する。これにより、トランジスタＱ３がＯＦＦして、１０Ｖ用リレー８８が切断される。
【００４１】
スリープモードでは、制御部７は、省エネ制御部７１として機能し、低圧電源部１２は内部電源電圧Ｖｃｃとして１２Ｖを出力する。また、省エネ制御部７１は、リレー制御回路８７ａから出力される１０Ｖ用リレー制御信号ＲＥＭ（１０Ｖ）をＬｏｗに制御する。これにより、トランジスタＱ３がＯＦＦして、１０Ｖ用リレー８８が切断され、ヒーター８０に通電されない状態となる。
【００４２】
以上説明したように第２の実施の形態は、画像形成装置１であって、熱源であるヒーター８０を有する定着装置６６と、動作モードでは内部電源電圧Ｖｃｃとして第１電圧（２４Ｖ）を出力すると共に、省電力モードでは内部電源電圧Ｖｃｃとして第１電圧（２４Ｖ）よりも低い第２電圧（１２Ｖ）を出力する低圧電源部１２と、内部電源電圧Ｖｃｃを第２電圧（１２Ｖ）よりも低い第３電圧（１０Ｖ）に降圧する低ドロップアウトレギュレータ８９（降圧回路）と、所定の条件でヒーター８０への電源供給を遮断する電源遮断回路として、ヒーター８０に直列に接続され、第３電圧（１０Ｖ）で動作する１０Ｖ用リレー８８（リレー）とを具備する。
この構成により、減電圧した内部電源電圧を降圧した１０Ｖによって１０Ｖ用リレー８８を動作させることで、ヒーター８０に電源を供給することができるため、ヒーター制御が必要であっても、通常の内部電源電圧を必要としないモードでは、内部電源電圧を減電圧して省電力状態に移行することができる。
【００４３】
さらに、第２の実施の形態において、省電力モードには、レディモード（第１省電力モード）と低電力モード（第２省電力モード）とスリープモード（第３省電力モード）とがあり、省電力モードにおける消費電力を制御する省エネ制御部７１を具備し、レディモードにおいて、省エネ制御部７１は、１０Ｖ用リレー８８を接続してヒーター８０に電源を供給して、定着装置６６を第１定着温度に制御し、低電力モードにおいて、省エネ制御部７１は、１０Ｖ用リレー８８を接続してヒーター８０に電源を供給して、定着装置６６を第１定着温度よりも低い第２定着電圧に制御し、スリープモードにおいて、省エネ制御部７１は、１０Ｖ用リレー８８を切断してヒーター８０への電源供給を遮断する。
この構成により、レディモードと、低電力モードと、スリープモードの順に効率よく消費電力を低減させることができる。
【００４４】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００４５】
１  画像形成装置
２  原稿読取部
３  原稿給送部
４  本体部
５  操作部
６  記録部
７  制御部
８  画像処理部
９  記憶部
１０  通信部
１１  ファクス部
１２  低圧電源部
１３  システム用電源回路
２１  スキャナー
２２  プラテンガラス
２３  原稿読取スリット
２４  露光ランプ
２５  ＣＣＤセンサー
３１  原稿載置部
３２  原稿排出部
３３  原稿搬送機構
４１  給紙部
４２  給紙ローラー
４３  搬送ローラー
４４  排出ローラー
４５  排出空間
６１  感光体ドラム
６２  帯電部
６３  露光部
６４  現像部
６５  転写部
６６  定着装置
６６ａ  熱ローラー
６６ｂ  圧ローラー
６７  クリーニング部
７１  省エネ制御部
８０  ヒーター
８１  トライアック
８１ａ  フォトトライアックカプラ
８２  ゼロクロス回路
８３  温度検出センサー
８４  Ａ／Ｄコンバーター（ＡＤＣ）
８５  ２４Ｖ用リレー
８６  １２Ｖ用リレー
８７、８７ａ  リレー制御回路
８８  １０Ｖ用リレー
８９  低ドロップアウトレギュレータ（ＬＤＯ）
Ｄ１〜Ｄ３  ダイオード
Ｒ１〜Ｒ６  抵抗
Ｑ１〜Ｑ３  トランジスタ
【図１】
0006281533.tif 000002
【図２】
0006281533.tif 000003
【図３】
0006281533.tif 000004
【図４】
0006281533.tif 000005